(57)【要約】【課題】良好な無線通信が可能な位置にアンテナ部材を配置して安定した無線通信を行うことができるようにする。【解決手段】把持部が被写体方向に突出している撮像装置において、該突出部の底面に近距離通信用アンテナを配置し、突出部の奥側光軸よりでかつ指がかからない下方に中距離通信用アンテナを配置したことを特徴とする。【選択図】図１
2017050791.tif 000002
【特許請求の範囲】
【請求項１】
把持部が被写体方向に突出している撮像装置１において、該突出部の底面に近距離通信用アンテナ３ａを配置し、把持部と鏡筒１５の間でかつ指がかからない下方に中距離通信用アンテナ２ａを配置したことを特徴とする撮像装置。
【請求項２】
中距離通信用アンテナ基板２の裏側に金属板金５を配置し。該金属板金５をアンテナ２ａとは逆方向の上方に延伸させ、機器内のグランド板金に電気的熱的に接合させたことを特徴とする請求項１に記載の撮像装置。
【請求項３】
無線アンテナ２ａに指がかかりにくくするため、把持部形状を撮像装置の鉛直方向上方にいくに従って光軸中心から離間するように徐々に広がった形状としたことを特徴とする請求項１又は請求項２に記載の撮像装置。
【発明の詳細な説明】
【技術分野】
【０００１】
本発明は、他の機器と無線で通信することが可能な撮像装置の無線通信用アンテナおよび基板のレイアウトに関する。
【背景技術】
【０００２】
特許文献１は、安定した無線通信環境で通信を行うことができる無線通信機能付きデジタルカメラ、デジタルカメラの機能拡張装置、および無線通信機能が不要の場合に機能拡張装置の代わり用いるアダプタを開示している。
無線通信手段をレイアウトする場合、その到達距離や使い勝手を考えると、図４記載の撮像装置のように撮影者の指がかかり難いように、グリップ側と撮影光軸を挟んで反対側に配置した方がその通信距離および精度が高いとされてきた。
【先行技術文献】
【特許文献】
【０００３】
【特許文献１】特開2002-314862号公報
【発明の概要】
【発明が解決しようとする課題】
【０００４】
然しながら、カメラの小型化や重量バランスからすると、電池やメイン基板等の実装部品は、右手把持部に集中していることが多いため、この右手把持部内に無線通信手段を配置した方が、スペ−ス効率がよく、配線長を短くすることができ、配線にノイズが乗り、画質が低下するのを防ぐことができる。
【０００５】
本発明の目的は、良好な無線通信が可能な位置にアンテナ部材を配置して安定した無線通信を行うことができるようにすることである。更には、無線通信用基板からの熱を、撮影者の指に到達させないように逃がすことである。
【課題を解決するための手段】
【０００６】
上記の目的を達成するために、本発明に係る撮像装置は、把持部が被写体方向に突出している撮像装置において、該突出部の底面に近距離通信用アンテナを配置し、突出部の奥側で撮影光軸との間で、かつ指がかからない下方に中距離通信用アンテナを配置したことを特徴とする。
【０００７】
更に中距離通信用アンテナに接続する金属板金をアンテナとは鉛直方向で反対側の上方に延伸し、そこから熱を逃がすように構成したことを特徴とする。
【発明の効果】
【０００８】
本発明に係る撮像装置によれば、良好な無線通信が可能な位置にアンテナ部材を配置して安定した無線通信を行うことができるようにすることができる。
【０００９】
更には、無線通信用基板からの熱を、撮影者の指に到達させないように逃がすことができる。
【図面の簡単な説明】
【００１０】
【図１】本発明の第１の実施の形態に係る撮像装置内の配置を表すフロントカバ−ユニットを外した状態の斜視図である。
【図２】本発明の第１の実施の形態に係る撮像装置の外観斜視図である。
【図３】本発明の第１の実施の形態に係る撮像装置の近距離通信用アンテナを搭載したフレキシブル基板、およびＷｉｆｉ基板、および電気的熱的導通を図る板金の斜視図である。
【図４】本発明の第１の実施の形態に係る撮像装置の保持状態での中距離通信用アンテナの位置を表す図である。
【図５】本発明の従来の形態に係る撮像装置のアンテナの配置位置を表す電子機の外観図および撮像装置の使用形態を表す図である。
【発明を実施するための形態】
【００１１】
以下、本発明の実施の形態を図面に基づいて説明する。
【００１２】
［第１の実施の形態］
図１は本発明の第１の実施の形態に係る撮像装置内の配置を表すフロントカバ−ユニット１ａを外した状態の斜視図である。図２は本発明の第１の実施の形態に係る撮像装置の外観斜視図である。図３は本発明の第１の実施の形態に係る撮像装置の近距離通信用アンテナを搭載したフレキシブル基板、およびＷｉｆｉ基板、および電気的熱的導通を図る板金の斜視図である。図４は本発明の第１の実施の形態に係る撮像装置の保持状態での中距離通信用アンテナの位置を表す図である。
【００１３】
図１から図４において同じ番号を付記したものは同じ部材を表す。同図において、１は、本発明の実施例に係る撮像装置であるカメラ本体。２は、中距離通信手段であるWifi通信用基板でありアンテナ２ａを搭載している。３は、近距離通信手段であるNFCプリント配線基板(以下ＮＦＣ基板)でアンテナ部３ａを含む。４は、公知のフレキシブル配線基板であり、前記Ｗｉｆｉ基板と、不図示のカメラの中央処理装置であるＣＰＵを搭載したメイン基板と電気的に接続している。前記ＮＦＣプリント配線基板も同様にメイン基板と電気的に接続している。
【００１４】
５は、熱伝導およびグランド配線用板金(以下板金)であり、一端を前記中距離通信手段であるWifi通信用基板２をビス６で固定されており、他端をビス７でトップカバ−ユニット１ｂに取り付けられた板金部材とビス７で固定されている。該トップカバ−１ｂの板金は不図示のメイン基板のグランド電位と電気的に接続されているため、Ｗｉｆｉ基板２も各板金を介して不図示のメイン基板と電気的に接続されている。
【００１５】
８は、公知の２段スイッチであるレリ−ズ釦である。９は電源のオンとオフとを切り替える電源釦である。１５は撮影光軸Dを持つ公知の複数のレンズ群を備えた鏡筒ユニットであり、被写体からの光を不図示の撮像素子に導き画像を撮影することができる。
【００１６】
撮影者は、電源釦９を押して撮像装置の電源を入れ、把持部１６を把持した後、鏡筒ユニット１５を通して不図示の撮像素子上に結像した画像を確認して、人差し指でレリ−ズ釦８の１段目のスイッチを入れる。ピント調整がなされた後、レリ−ズ釦８の２段目のスイッチを入れることにより撮影が完了し画像が保存される。
【００１７】
Ｗｉｆｉ基板２にはＷｉｆｉ通信用のアンテナ２ａが搭載されているが、該アンテナ２ａの裏側には板金５は存在しておらず、電波の拡散に影響を与えないように構成されている。また、該アンテナ２ａの位置は、図４に示すように、撮影者がカメラの把持部１６を握ったときに小指がアンテナ２ａ前方を覆わない位置に配置してある。更に、無線アンテナに指がかかりにくくするため、図２に示すように、グリップ形状を鉛直方向上方にいくに従って光軸中心から離間するように徐々に広がった形状としている。この空間に右手中指が必ずはまり込むようになるため、通信に影響を及ぼす指でＷｉｆｉ通信用のアンテナ２ａを隠しにくくなる。
【００１８】
更に、板金５は電気的グランド電位に接続すると共に、Ｗｉｆi基板で発生した熱を機器上方に延伸した腕部を介してトップカバ−ユニット１ｂ方向に分散する役目もある。このように構成することで、撮影者の指に熱を感じることなく長時間無線通信をおこなうことができる。
【００１９】
ＮＦＣ基板３のアンテナ部３ａは、光軸方向に突出した把持部１６の底面に配置してあるため、撮像装置１を把持したままＮＦＣ受信部に近づけようとしても、指が邪魔になることはなく、通信状態が低下してしまい不安定になることはない。
【符号の説明】
【００２０】
１  本発明の実施例に係る撮像装置であるカメラ本体、
２  中距離通信手段であるWifi通信用基板、
３  近距離通信手段であるNFCプリント配線基板、
４  Wifi通信用基板とメイン基板とを電気的に接続するためのフレキシブル配線基板、
５  熱伝導およびグランド配線用板金、６，７  ビス、８  レリ−ズ釦、９  電源釦、
１０  本発明の従来例に係る撮像装置であるカメラ本体、
１１  本発明の従来例に係る中距離通信手段であるWifi基板、１５  鏡筒ユニット、
１６  把持部
【図１】
2017050791.tif 000003
【図２】
2017050791.tif 000004
【図３】
2017050791.tif 000005
【図４】
2017050791.tif 000006
【図５】
2017050791.tif 000007